【手続補正書】
【提出日】令和3年6月16日(2021.6.16)
【手続補正１】
【補正対象書類名】明細書
【補正対象項目名】０００９
【補正方法】変更
【補正の内容】
【０００９】
本発明の請求項６に係る発光装置は、撮像装置と接続し、前記撮像装置による撮影の際に発光を行う発光装置であって、発光モードを、自動調光を行う第１の発光モード、及び連写撮影のための自動調光を行う第２の発光モードを少なくとも含む複数の発光モードのうち１つに設定する設定手段を備え、前記複数の発光モードは夫々ユーザにより独立に、前記設定される発光モードとして選択可能であることを特徴とする。
【手続補正２】
【補正対象書類名】明細書
【補正対象項目名】００１０
【補正方法】変更
【補正の内容】
【００１０】
本発明の請求項９に係る撮像システムは、発光装置と、前記発光装置を発光させて撮影を行う撮像装置とにより構成される撮像システムであって、前記発光装置において、自動調光を行う第１の発光モード、及び連写撮影のための自動調光を行う第２の発光モードを少なくとも含む複数の発光モードの１つに設定する第１の設定手段と、前記複数の発光モードのうち前記発光装置において設定された発光モードを前記撮像装置に通知するモード通知手段とを備え、前記撮像装置において、前記第１の発光モードでの撮影時に使用される、少なくとも撮影感度を含む露出制御値を決定する決定手段と、前記通知された発光モードが前記第２の発光モードである場合、前記決定された撮影感度を大きい値に自動調光より前に変更する変更手段とを備えることを特徴とする。
本発明の請求項１０に係る撮像装置は、発光装置を発光させた撮影が可能な撮像装置であって、測光を行う測光手段と、露出制御値を設定する設定手段と、を備え、前記設定手段は、前記発光装置を発光させて撮影を行うときの露出制御値を前記測光手段によって得られた所定の測光結果に応じて設定する場合、前記発光装置の状態が第１の自動調光状態であるときと第２の自動調光状態であるときとで異なる露出制御値を設定することを特徴とする。
【手続補正３】
【補正対象書類名】特許請求の範囲
【補正対象項目名】全文
【補正方法】変更
【補正の内容】
【特許請求の範囲】
【請求項１】
発光装置と接続し、撮影の際に発光装置を発光させる撮像装置であって、
前記発光装置の発光モードを前記発光装置から取得する取得手段と、
自動調光を行う第１の発光モードでの撮影時に使用される、少なくとも撮影感度を含む露出制御値を決定する決定手段と、
前記取得した前記発光装置の発光モードが連写撮影のための自動調光を行う第２の発光モードである場合、前記決定された撮影感度を大きい値に自動調光より前に変更する変更手段とを備えることを特徴とする撮像装置。
【請求項２】
前記撮影感度の設定モードとして、撮影時に使用される前記撮影感度をユーザの設定した値とする任意設定モード、及び前記撮影感度を前記決定手段により決定された値に変更する自動設定モードの一方に設定する設定手段をさらに備え、
前記取得された発光モードが前記第２の発光モードである場合であって前記任意設定モードが設定されている場合、前記任意設定モードから前記自動設定モードに変更することを特徴とする請求項１記載の撮像装置。
【請求項３】
前記取得された発光モードが前記第２の発光モードである場合は、前記ユーザによる撮影時に使用される前記撮影感度の値の変更を禁止する禁止手段を更に備えることを特徴とする請求項２記載の撮像装置。
【請求項４】
前記禁止手段により前記撮影感度の変更が禁止された場合、前記撮影感度の変更が禁止された旨を前記ユーザに通知する禁止通知手段をさらに備えることを特徴とする請求項３記載の撮像装置。
【請求項５】
前記変更された撮影感度をユーザに通知する変更通知手段をさらに備えることを特徴とする請求項１乃至４のいずれか１項に記載の撮像装置。
【請求項６】
撮像装置と接続し、前記撮像装置による撮影の際に発光を行う発光装置であって、
発光モードを、自動調光を行う第１の発光モード、及び連写撮影のための自動調光を行う第２の発光モードを少なくとも含む複数の発光モードのうち１つに設定する設定手段を備え、
前記複数の発光モードは夫々ユーザにより独立に、前記設定される発光モードとして選択可能であることを特徴とする発光装置。
【請求項７】
前記撮像装置が対応している発光モードを受信する受信手段と、
前記設定された発光モードを前記撮像装置に通知するモード通知手段とをさらに有し、
前記設定された発光モードが前記第２の発光モードであり、かつ、前記受信手段によって受信した前記撮像装置が対応している発光モードに前記第２の発光モードが含まれていない場合、前記設定手段は、前記第１の発光モードに前記設定された発光モードを変更し、前記モード通知手段は、前記第１の発光モードを前記設定された発光モードとして前記撮像装置に通知することを特徴とする請求項６記載の発光装置。
【請求項８】
前記設定手段は、前記受信した発光モードに前記第２の発光モードが含まれていない場合、前記複数の発光モードのうち前記第２の発光モードは前記設定される発光モードとしてユーザにより選択できないようにすることを特徴とする請求項７記載の発光装置。
【請求項９】
発光装置と、前記発光装置を発光させて撮影を行う撮像装置とにより構成される撮像システムであって、
前記発光装置において、
自動調光を行う第１の発光モード、及び連写撮影のための自動調光を行う第２の発光モードを少なくとも含む複数の発光モードの１つに設定する設定手段と、
前記複数の発光モードのうち前記発光装置において設定された発光モードを前記撮像装置に通知するモード通知手段とを備え、
前記撮像装置において、
前記第１の発光モードでの撮影時に使用される、少なくとも撮影感度を含む露出制御値を決定する決定手段と、
前記通知された発光モードが前記第２の発光モードである場合、前記決定された撮影感度を大きい値に自動調光より前に変更する変更手段とを備えることを特徴とする撮像システム。
【請求項１０】
発光装置を発光させた撮影が可能な撮像装置であって、
測光を行う測光手段と、
露出制御値を設定する設定手段と、
を備え、
前記設定手段は、前記発光装置を発光させて撮影を行うときの露出制御値を前記測光手段によって得られた所定の測光結果に応じて設定する場合、前記発光装置の状態が第１の自動調光状態であるときと第２の自動調光状態であるときとで異なる露出制御値を設定することを特徴とする撮像装置。
【請求項１１】
前記測光手段の測光結果に基づいて前記発光装置を発光させて撮影を行うときの発光量を決定する決定手段をさらに備え、
前記発光装置を発光させて撮影を行うときの露出制御値を前記測光手段の前記所定の測光結果に応じて設定する場合、
前記設定手段は、前記発光装置の状態が前記第２の自動調光状態であるときは前記第１の自動調光状態であるときよりも高露出となるように露出制御値を設定し、
前記決定手段は、前記発光装置の状態が前記第２の自動調光状態であるときは前記第１の自動調光状態であるときよりも発光量を小さい値に決定することを特徴とする請求項１１記載の撮像装置。
【請求項１２】
前記設定手段は、ユーザの選択操作に応じて露出制御値を設定する手動設定モードと前記測光手段の測光結果に応じて露出制御値を設定する自動設定モードとを有し、
前記設定手段が前記手動設定モードであるときに前記発光装置の状態が前記第２の自動調光状態に設定された場合、前記設定手段は前記手動設定モードから前記自動設定モードに移行することを特徴とする請求項１１記載の撮像装置。
【請求項１３】
前記第１の自動調光状態であるときは自動調光が行われ、前記第２の自動調光状態であるときは連写撮影のための自動調光が行われることを特徴とする請求項１０乃至１２のいずれか１項に記載の撮像装置。
【請求項１４】
発光装置と接続し、撮影の際に発光装置を発光させる撮像装置の制御方法であって、
前記発光装置の発光モードを前記発光装置から取得する取得ステップと、
自動調光を行う第１の発光モードでの撮影時に使用される、少なくとも撮影感度を含む露出制御値を決定する決定ステップと、
前記取得した前記発光装置の発光モードが連写撮影のための自動調光を行う第２の発光モードである場合、前記決定された撮影感度を大きい値に自動調光より前に変更する変更ステップとを有することを特徴とする制御方法。
【請求項１５】
撮像装置と接続し、前記撮像装置による撮影の際に発光を行う発光装置の制御方法であって、
発光モードを、自動調光を行う第１の発光モード、及び連写撮影のための自動調光を行う第２の発光モードを少なくとも含む複数の発光モードのうち１つに設定する設定ステップを有し、
前記複数の発光モードは夫々ユーザにより独立に、前記設定される発光モードとして選択可能であることを特徴とする制御方法。
【請求項１６】
発光装置を発光させた撮影が可能な撮像装置の制御方法であって、
前記発光装置を発光させて撮影を行うときの露出制御値を所定の測光結果に応じて設定する場合、前記発光装置の状態が第１の自動調光状態であるときと第２の自動調光状態であるときとで異なる露出制御値を設定することを特徴とする制御方法。
【請求項１７】
前記第１の自動調光状態であるときは自動調光が行われ、前記第２の自動調光状態であるときは連写撮影のための自動調光が行われることを特徴とする請求項１６記載の制御方法。
【請求項１８】
請求項１４乃至１７のいずれか１項に記載の制御方法を実行することを特徴とするプログラム。